(57)【要約】【課題】  ２つの光源の戻り光ノイズを部品点数削減、信頼性向上を図りながら、簡単で確実に抑えることができる光ピックアップ及びその光ピックアップを用いた光ディスク記録再生装置を提供すること。【解決手段】  光ピックアップ４は第１及び第２の光源から第１及び第２の光ディスクの反射面までの夫々の光路長Ｄを、ｎを実効屈折率、Ｌを共振器長として（ｊ×ｎＬ／２）＋０．５<Ｄ<（（ｊ＋１）×ｎＬ／２）−０．５となるように第１及び第２の光ディスクの反射面に、光学手段で第１及び第２のレーザ光を結ぶこととしたので、例えば図５の戻り光ノイズが発生しない範囲Ｈに光路長Ｄを収めることができ、１ＣＡＮ２波長ＬＤを用いた場合でも、容易に２つの光源からの戻り光ノイズを抑えることができ、かつ部品点数削減、信頼性向上を図ることができる。【選択図】  図５
2005038523.tif 000002
【特許請求の範囲】
【請求項１】
第１の光ディスクに第１のレーザ光を照射する第１の光源と、
前記第１の光ディスクの基板厚と異なる基板厚の第２の光ディスクに前記第１のレーザ光の波長と異なる第２のレーザ光を照射する第２の光源と、
前記第１及び第２の光源から前記第１及び第２の光ディスクの反射面までの夫々の光路長Ｄが、ｊを整数、ｎを前記第１及び第２の光源の実効屈折率、Ｌを前記第１及び第２の光源の共振器長として、
（ｊ×ｎＬ／２）＋０．５<Ｄ<（（ｊ＋１）×ｎＬ／２）−０．５
となるように前記第１及び第２のレーザ光の焦点を前記第１及び第２の光ディスクの反射面に結ぶ光学手段と
を具備することを特徴とする光ピックアップ。
【請求項２】
請求項１に記載の光ピックアップにおいて、
前記第１の光ディスクと第２の光ディスクとの基板厚の差とその基板の屈折率との積が、前記（（ｊ＋１）×ｎＬ／２）−０．５から前記（ｊ×ｎＬ／２）＋０．５を引いたものより小さいことを特徴とする光ピックアップ。
【請求項３】
請求項１に記載の光ピックアップにおいて、
前記第１及び第２の光源の実効屈折率と共振器長との積が夫々ほぼ同一であり、かつ、３．８ミリメートル以上であることを特徴とする光ピックアップ。
【請求項４】
請求項１に記載の光ピックアップにおいて、
前記第１及び第２の光源は、互いに近接して配置されていることを特徴とする光ピックアップ。
【請求項５】
第１の光ディスクに第１のレーザ光を照射する第１の光源と、
前記第１の光ディスクの基板厚と異なる基板厚の第２の光ディスクに前記第１のレーザ光の波長と異なる第２のレーザ光を照射する第２の光源と、
前記第１及び第２の光源から前記第１及び第２の光ディスクの反射面までの夫々の光路長Ｄが、ｊを整数、ｎを前記第１及び第２の光源の実効屈折率、Ｌを前記第１及び第２の光源の共振器長として、
（ｊ×ｎＬ／２）＋０．５<Ｄ<（（ｊ＋１）×ｎＬ／２）−０．５
となるように前記第１及び第２のレーザ光の焦点を前記第１及び第２の光ディスクの反射面に結ぶ光学手段とを具備する光ピックアップを備えることを特徴とする光ディスク記録再生装置。
【請求項６】
請求項５記載の光ディスク記録再生装置において、
前記光ピックアップは、前記第１の光ディスクと第２の光ディスクとの基板厚の差とその基板の屈折率との積が、前記（（ｊ＋１）×ｎＬ／２）−０．５から前記（ｊ×ｎＬ／２）＋０．５を引いたものより小さいことを特徴とする光ディスク記録再生装置。
【請求項７】
請求項５記載の光ディスク記録再生装置において、
前記光ピックアップは、前記第１及び第２の光源の実効屈折率と共振器長との積が夫々ほぼ同一であり、かつ、３．８ミリメートル以上であることを特徴とする光ディスク記録再生装置。
【請求項８】
請求項５記載の光ディスク記録再生装置において、
前記光ピックアップの前記第１及び第２の光源は、互いに近接して配置されていることを特徴とする光ディスク記録再生装置。
【発明の詳細な説明】
【技術分野】
【０００１】
本発明は、例えばＣＤ（Ｃｏｎｐａｃｔ  Ｄｉｓｋ）及びＤＶＤ（Ｄｉｇｉｔａｌ  ｖｅｒｓａｔｉｌｅ  Ｄｉｓｋ）などの種々の光ディスクの記録再生に用いられる光ピックアップ及びその光ピックアップを用いた光ディスク記録再生装置に関する。
【背景技術】
【０００２】
従来、一つの光ピックアップで例えばＣＤとＤＶＤとの両方の記録媒体へ記録可能な光ディスク記録再生装置は、ＣＤ用のＬＤ（Ｌａｓｅｒ  Ｄｉｏｄｅ）とＤＶＤ用のＬＤとの２個を用意していたが、部品点数も多く、信頼性も低下するなどの欠点も有った。
【０００３】
そこで、ＣＤの波長帯の光源とＤＶＤの波長帯の光源とを１つのパッケージに集約した１ＣＡＮ２波長ＬＤを用いることで、部品点数削減、信頼性向上を得ることが可能となった（例えば、特許文献１参照。）。
【特許文献１】特開２００１−１４３３１２号公報（段落[０００５]から[００１１]、図１）。
【発明の開示】
【発明が解決しようとする課題】
【０００４】
しかしながら１ＣＡＮ２波長ＬＤは、ＤＶＤ用の光源とＣＤ用の光源との発光点がほぼ同じ位置にあるが、ＣＤとＤＶＤではその基板の厚みがＣＤ側で１．２ｍｍ、ＤＶＤ側で０．６ｍｍと異なる。そのため、光ディスクの反射面から光源の発光点までの光路長の違いからＣＤ用光源とＤＶＤ用光源との両方の戻り光ノイズを十分に抑えることが、容易にはできないなどの問題があった。
【０００５】
以上のような事情に鑑み、本発明の目的は、２つの光源の戻り光ノイズを部品点数削減、信頼性向上を図りながら、簡単で確実に抑えることができる光ピックアップ及びその光ピックアップを用いた光ディスク記録再生装置を提供することにある。
【課題を解決するための手段】
【０００６】
上記目的を達成するために、本発明の主たる観点に係る光ピックアップは、第１の光ディスクに第１のレーザ光を照射する第１の光源と、前記第１の光ディスクの基板厚と異なる基板厚の第２の光ディスクに前記第１のレーザ光の波長と異なる第２のレーザ光を照射する第２の光源と、前記第１及び第２の光源から前記第１及び第２の光ディスクの反射面までの夫々の光路長Ｄが、ｊを整数、ｎを前記第１及び第２の光源の実効屈折率、Ｌを前記第１及び第２の光源の共振器長として、（ｊ×ｎＬ／２）＋０．５<Ｄ<（（ｊ＋１）×ｎＬ／２）−０．５となるように前記第１及び第２のレーザ光の焦点を前記第１及び第２の光ディスクの反射面に結ぶ光学手段とを具備することを特徴とする。
【０００７】
ここで、「実効屈折率」とは、光源例えば半導体レーザ中の導波光が平均的に感じる屈折率のことであり、「共振器長」とは、例えば半導体レーザにある平行鏡の間隔Ｌのことである。また、「焦点を第１及び第２の光ディスクの反射面に結ぶ光学手段」とは対物レンズに限られるものではなく、例えば光源から光ディスクの反射面に第１及び第２のレーザ光が到達するまでのすべての光学手段をいうものとする。
【０００８】
本発明は、第１及び第２の光源から第１及び第２の光ディスクの反射面までの夫々の光路長Ｄを、（ｊ×ｎＬ／２）＋０．５<Ｄ<（（ｊ＋１）×ｎＬ／２）−０．５となるように光学手段で第１及び第２の光ディスクの反射面に、第１及び第２のレーザ光を結ぶこととしたので、例えば１ＣＡＮ２波長ＬＤを用いた場合でも、容易に２つの光源からの戻り光ノイズを抑えることができ、かつ部品点数削減、信頼性向上を図ることができる。
【０００９】
本発明の一の形態によれば、前記第１の光ディスクと第２の光ディスクとの基板厚の差とその基板の屈折率との積が、前記（（ｊ＋１）×ｎＬ／２）−０．５から前記（ｊ×ｎＬ／２）＋０．５を引いたものより小さいことを特徴とする。これにより、戻り光ノイズが大きく現れるｊ×ｎＬ／２とその隣の（ｊ＋１）×ｎＬ／２との光ディスクの面ぶれを除いた範囲に、第１及び第２の光ディスクによる光路長Ｄの差の幅が全て入るように光学手段などにより容易に調整ができ、例えば１ＣＡＮ２波長ＬＤを用いた場合でも、容易に２つの光源からの戻り光ノイズを抑えることができる。
【００１０】
本発明の一の形態によれば、前記第１及び第２の光源の実効屈折率と共振器長との積が夫々ほぼ同一であり、かつ、３．８ミリメートル以上であることを特徴とする。これにより、光ディスクの面ぶれを考慮しても、例えば１ＣＡＮ２波長ＬＤを用いた場合にレーザ光源からの戻り光ノイズを容易に抑制できる。
【００１１】
本発明の一の形態によれば、前記第１及び第２の光源は、互いに近接して配置されていることを特徴とする。これにより、全体の面積を大幅に減縮できると共に部品点数も少なくでき、信頼性も向上させながら例えば１ＣＡＮ２波長ＬＤを用いた場合にレーザ光源からの戻り光ノイズを容易に抑制できる。
【００１２】
本発明の他の観点にかかる光ディスク記録再生装置は、第１の光ディスクに第１のレーザ光を照射する第１の光源と、前記第１の光ディスクの基板厚と異なる基板厚の第２の光ディスクに前記第１のレーザ光の波長と異なる第２のレーザ光を照射する第２の光源と、前記第１及び第２の光源から前記第１及び第２の光ディスクの反射面までの夫々の光路長Ｄが、ｊを整数、ｎを前記第１及び第２の光源の実効屈折率、Ｌを前記第１及び第２の光源の共振器長として、（ｊ×ｎＬ／２）＋０．５<Ｄ<（（ｊ＋１）×ｎＬ／２）−０．５となるように前記第１及び第２のレーザ光の焦点を前記第１及び第２の光ディスクの反射面に結ぶ光学手段とを具備する光ピックアップを備えることを特徴とする。
【００１３】
本発明は、第１及び第２の光源から第１及び第２の光ディスクの反射面までの夫々の光路長Ｄを、（ｊ×ｎＬ／２）＋０．５<Ｄ<（（ｊ＋１）×ｎＬ／２）−０．５となるように光学手段で第１及び第２の光ディスクの反射面に、第１及び第２のレーザ光を結ぶこととしたので、例えば１ＣＡＮ２波長ＬＤを用いた場合でも、容易に２つの光源からの戻り光ノイズを抑えることができ、かつ部品点数削減、信頼性向上を図ることができる。
【００１４】
本発明の一の形態によれば、前記光ピックアップは、前記第１の光ディスクと第２の光ディスクとの基板厚の差とその基板の屈折率との積が、前記（（ｊ＋１）×ｎＬ／２）−０．５から前記（ｊ×ｎＬ／２）＋０．５を引いたものより小さいことを特徴とする。これにより、戻り光ノイズが大きく現れるｊ×ｎＬ／２とその隣の（ｊ＋１）×ｎＬ／２との光ディスクの面ぶれを除いた範囲に、第１及び第２の光ディスクによる光路長Ｄの差の幅が全て入るように光学手段などにより容易に調整ができ、例えば１ＣＡＮ２波長ＬＤを用いた場合でも、容易に２つの光源からの戻り光ノイズを抑えることができる。
【００１５】
本発明の一の形態によれば、前記光ピックアップは、前記第１及び第２の光源の実効屈折率と共振器長との積が夫々ほぼ同一であり、かつ、３．８ミリメートル以上であることを特徴とする。これにより、光ディスクの面ぶれを考慮しても、例えば１ＣＡＮ２波長ＬＤを用いた場合にレーザ光源からの戻り光ノイズを容易に抑制できる。
【００１６】
本発明の一の形態によれば、前記光ピックアップの前記第１及び第２の光源は、互いに近接して配置されていることを特徴とする。これにより、部品点数も少なくでき、信頼性も向上させながら例えば１ＣＡＮ２波長ＬＤを用いた場合にレーザ光源からの戻り光ノイズを容易に抑制できる。
【発明の効果】
【００１７】
以上のように、本発明によれば、２つの光源の戻り光ノイズを部品点数削減、信頼性向上を図りながら、簡単で確実に抑えることができる。
【発明を実施するための最良の形態】
【００１８】
以下、本発明の実施の形態を図面に基づき説明する。なお、以下実施形態を説明するにあたっては、光ピックアップを用いた光ディスク記録再生装置のＣＤ及びＤＶＤの再生を中心に説明するが、これに限られるものではない。
【００１９】
図１は本発明の第１の実施形態に係る光ディスク記録再生装置のブロック図である。
【００２０】
図１に示すように光ディスク記録再生装置１は、例えば音楽情報や映像情報などが記録された光ディスク２がセットされており、光ディスク２を回転させるスピンドルモータ３、光ディスク２にレーザ光を照射させ電気信号に変換などする光ピックアップ４、そのスピンドルモータ３及び光ピックアップ４などを駆動させるドライバ５、そのドライバ５を制御するドライバ制御部６、光ピックアップ４から受光素子であるＰＤ（Ｐｈｏｔｏ  Ｄｅｔｅｃｔｏｒ）の出力信号を増幅などするアンプ７、アンプ７からの再生信号を復調、誤り検出及び訂正などの処理をして音楽情報等の信号を再生する信号処理部８、信号処理部８からの信号をアナログ信号に変換するＤ／Ａコンバータ９、Ｄ／Ａコンバータ９によりアナログ信号に変換された信号を音楽情報等に変換し出力すると共に、操作ボタンなどによる操作情報を入力する入出力部１０、入出力部１０から入力された音響情報などの図示しないエンコード処理手段や変調回路などを有する記録制御回路１１及び光ディスク記録再生装置１全体の動作の制御をする制御部１２などから構成されている。
【００２１】
ここで、光ディスク２は音楽情報等が記録されたＣＤ、映像情報などが記録されたＤＶＤなどの記録媒体である。
【００２２】
図２は光ピックアップの概略説明図である。
【００２３】
光ピックアップ４は例えば図２に示すようにレーザ光を射出するレーザ光源１３、そのレーザ光を３ビームに回折分離するグレーティング１４、分離された３ビームを光ディスク２に照射する方向に反射などするビームスプリッタ１５、そのビームスプリッタ１５からのレーザ光を平行光にするコリメータレンズ１６、コリメータレンズ１６により平行光にされたレーザ光を光ディスク２方向に反射させるミラー１７、ミラー１７により反射されたレーザ光を光ディスク２上に集光させる対物レンズ１８、光ディスク２からの反射光でビームスプリッタ１５を透過したレーザ光の光軸を調節する光軸合成素子１９、光軸を調整されたレーザ光が入射する例えばシリンドリカルレンズなどにより構成される調整レンズ２０及びその調整レンズ２０からのレーザ光を受光する受光素子としてのＰＤ２１などを有する。
【００２４】
レーザ光源１３は、例えば波長７８０ｎｍのレーザ光を射出する第１の光源である第１の発光点２２と波長６５０ｎｍのレーザ光を射出する第２の光源である第２の発光点２３とを一つのパッケージに集約したものである。
【００２５】
また、レーザ光源１３は例えばワンチップに形成された第１及び第２の光源ともにほぼ同じ実効屈折率ｎと共振器長Ｌとを有しており、その積ｎＬは３．８ｍｍ以上となるように形成されている。これにより、詳しくは後述するレーザ光の戻り光ノイズが大きく現れる一定周期の間に、その光ディスク２の面ぶれも考慮して容易に第１及び第２の光源の両方ともその光路長Ｄが入ることとなり、ワンチップに形成された２波長レーザ光源のレーザ光の戻り光ノイズを抑制することができる。
【００２６】
なお、積ｎＬは例えば３．８ｍｍ以上であればよく光ピックアップ４として実装できる範囲が上限となる。更にＣＤ及びＤＶＤのレーザ光源１３の実効屈折率は、４前後であり、例えばＣＤ側の実効屈折率のほうがＤＶＤ側の実効屈折率より、０．１〜０．２程度小さくなっている。
【００２７】
また、グレーティング１４はレーザ光源１３から射出されたレーザ光を１つのメインビームと２つのサブビームの３つのビームに分離するための回折格子であり、これによりトラッキング検出に３ビーム法などを用いることができる。
【００２８】
更にビームスプリッタ１５は、グレーティング１４からのレーザ光を４５°の傾斜を有する反射面により後述するコリメータレンズ方向に反射させ射出させると共に、光ディスク２からの反射光をグレーティング１４からのレーザ光と分離し透過させ、後述する光軸合成素子へ射出させることができる。
【００２９】
また、対物レンズ１８は２波長例えば７８０ｎｍ及び６５０ｎｍのレーザ光を確実にその情報記録面に集光できるように形成されており、図示しない二軸アクチュエータによって、フォーカシング方向及びトラッキング方向に移動可能なように支持されている。
【００３０】
更に光軸合成素子１９は、例えばレーザ光源１３から射出される２つのレーザ光のうち第２の波長である６５０ｎｍのレーザ光はそのまま透過させ、第１の波長である７８０ｎｍのレーザ光については回折または、屈折させることができる。これにより、第１の波長のレーザ光は例えば第２の波長のレーザ光の反射光が集光するＰＤ上の位置に、その光路が変更され集光させることができることとなる。
【００３１】
図３は受光素子としてのＰＤの説明図である。
【００３２】
ＰＤ２１は、図２に示すようにビームスプリッタ１５を透過したレーザ光を受光して電気信号に変換する受光素子であり、例えば図３に示すようにメインビームを受光する４分割された４分割用ＰＤ２４、その両隣に配置されたサブビームを受光するサブビーム用ＰＤ２５，２６を有する。これにより、４分割用ＰＤ２４の各分割領域からの出力信号からフォーカシングエラー信号、トラッキングエラー信号及びＲＦ信号を生成することができると共に、４分割用ＰＤ２４とサブビーム用ＰＤ２５，２６との出力信号により、例えば３ビーム法でトラッキングエラー信号を生成することができる。なお、ＤＶＤのトラッキングエラー信号は例えばＤＰＰ法（ディファレンシャルプッシュプル法）で生成してもよい。
【００３３】
次に、ドライバ５は例えば図示しないフォーカスドライバ、トラッキングドライバ及びスピンドルドライバなどを有し、光ピックアップ４の対物レンズ１８をフォーカス方向及びトラッキング方向などに動かすことができる。また、スピンドルドライバは、スピンドルモータ３の回転を制御することができる。
【００３４】
また、ドライバ制御部６は例えば図示しないフォーカス制御回路やトラッキング制御回路などを有し、制御部１２のコントロール下、アンプ７からのフォーカスエラー信号やトラッキングエラー信号などに基づいて、ドライバ５を制御することができる。
【００３５】
更にアンプ７は、例えば制御部１２のコントロール下、４分割用ＰＤ２４からの出力信号を所定の大きさまで増幅して、フォーカスエラー信号を生成したり、４分割の各領域からの信号を位相比較し、ＤＰＤ法（Ｄｉｆｆｅｒｅｎｔｉａｌ  Ｐｈａｓｅ  Ｄｅｔｅｃｔｉｏｎ法）によるトラッキングエラー信号を生成したり、４分割の各領域からの信号を合算し、ＲＦ（Ｒａｄｉｏ  Ｆｒｅｑｕｅｎｃｙ）信号などを生成することができる。生成されたフォーカスエラー信号やトラッキングエラー信号は、制御部１２を介しドライバ制御部６に供給され、ＲＦ信号は信号処理部８に供給される。
【００３６】
また、アンプ７は例えば制御部１２のコントロール下、４分割用ＰＤ２４とサブビーム用ＰＤ２５，２６とからの出力信号を所定の大きさまで増幅し、３ビーム法でトラッキングエラー信号を生成し、制御部１２を介しドライバ制御部６に供給される。
【００３７】
更に入出力部１０は、図示しない音響部、表示部、撮像部及び操作部などを有し、例えば制御部１２のコントロール下、Ｄ／Ａコンバータ９から供給されるアナログ信号に変換された音楽情報などを音響部のスピーカなどにより音声などにして出力することができる。
【００３８】
また、入出力部１０は操作部の操作ボタンなどからの操作情報を制御部１２に受け渡すことができる。
【００３９】
更に制御部１２は例えば図示しない演算と制御とをするＣＰＵ（Ｃｅｎｔｒａｌ  Ｐｒｏｃｅｓｓｉｎｇ  Ｕｎｉｔ）、必要に応じて一時的に情報を記録し光ディスク記録再生装置１の制御をより円滑に行うＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びデータ格納部などを有する。
【００４０】
次に、以上のように構成された光ディスク記録再生装置１の動作についてＣＤの再生を中心に説明する。
【００４１】
まず、図１に示すように光ディスク記録再生装置１に光ディスク２がセットされ入出力部１０のボタン操作などにより電源が投入されると、制御部１２はドライバ制御部６及びドライバ５によりスピンドルモータ３を所定の回転数で回転させる。
【００４２】
また、制御部１２はドライバ制御部６及びドライバ５により図示しないスレッドモータを駆動させ、所定の光ディスク２の位置に光ピックアップ４を移動させると共に、ドライバ制御部６及びドライバ５によりレーザ光源１３に電流をリードパワーレベルに調節して、供給させる。
【００４３】
更に必要な電流が供給されたレーザ光源１３は、第１の発光点２２から例えば波長７８０ｎｍのレーザ光を射出する。射出されたレーザ光は例えば図２に示す点線（実線は第２の波長例えば６５０ｎｍのレーザ光の光線を示す。）のようにまず、グレーティング１４に入射し３つのビームに分離されビームスプリッタ１５に入射する。すなわち、回折格子であるグレーティング１４により、メインビームとサブビームに分離され、サブビームは信号を読み取るためのメインビームからトラックの左右方向に例えば１／２トラックだけずれた位置に照射されるように回折される。
【００４４】
また、ビームスプリッタ１５に入射した３つのビームからなるレーザ光は、更にビームスプリッタ１５中に形成された４５°の傾斜を有する反射面により、コリメータレンズ１６の方向に反射され、コリメータレンズ１６に入射し平行光にされる。
【００４５】
更にコリメータレンズ１６から射出した平行光にされたレーザ光は、ミラー１７により光ディスク２の方向に反射され、対物レンズ１８に入射する。そして、対物レンズ１８により光ディスク２の反射面に集光されることとなる。
【００４６】
次に、情報が記録された光ディスク２の反射面で反射された３つのビームからなるレーザ光は、対物レンズ１８及びミラー１７を逆に戻り、ビームスプリッタ１５に入射する。
【００４７】
ビームスプリッタ１５に入射した光ディスク２からの反射光は、グレーティング１４からのレーザ光と分離され透過して、光軸合成素子１９へ射出される。このとき、光ディスク２からの一部の反射光は、光軸合成素子１９へ射出されずにビームスプリッタ１５中に形成された４５°の傾斜を有する反射面により、グレーティング１４の方向に反射され戻り光となる場合がある。
【００４８】
ここで、戻り光から戻り光ノイズが発生する場合と戻り光ノイズの発生を抑える場合の仕組み（動作）について、そのレーザ光源１３中の共振器長Ｌ及び実効屈折率ｎとレーザ光源１３の第１及び第２の発光点２２，２３から光ディスク２の反射面までの光路長Ｄとの関係を踏まえて簡単に説明する。
【００４９】
図４は光路長差の説明図、図５は戻り光を抑える光路長Ｄの範囲の説明図である。
【００５０】
まず、戻り光ノイズとは、光ディスク２からの反射光の一部がビームスプリッタ１５中に形成された４５°の傾斜を有する反射面によりグレーティング１４の方向に反射され、レーザ光源１３に戻る戻り光となり、この戻り光によりいわゆる縦モード競合やモードホップなどの現象が生じ、ノイズとなるものである。
【００５１】
特にその戻り光ノイズは、レーザ光源１３の発光点から光ディスク２の反射面までの光路長（距離と屈折率との積）Ｄが、レーザ光源１３の実効屈折率ｎと共振器長Ｌとの積ｎＬに対し、下記の条件を満たすときに大きく現れる。
【００５２】
Ｄ＝（整数）×ｎＬ／２                      [数１]
例えば図５に示すように[数１]の戻り光ノイズが大きく現れるＤの位置がｎＬ／２ごとに現れる（図５中のＢ、Ｃ）。ただし、図５のｊは整数であり、縦軸にJｉｔｔｅｒ[％]ＯＲ[ｎｓ]をとり、横軸に光ピックアップの光路長Ｄ[ｍｍ]をとるものとする。尚、[％]はＤＶＤ用であり[ｎｓ]はＣＤ用である。
【００５３】
また、図５から光ディスク２の面ぶれのマージンを±０．５ｍｍとすると、レーザ光源１３の戻り光ノイズが生じないようにするには、例えば図５に示す光路長Ｂから＋０．５ｍｍの範囲Ｆと光路長Ｃから−０．５ｍｍの範囲Ｇとを、戻り光ノイズが大きく現れる光路長Ｂのｊ×ｎＬ／２と光路長Ｃの（ｊ＋１）×ｎＬ／２との間の範囲から除いた範囲（図５中のＨ）の中に、例えば２波長のレーザ光源１３の光路長Ｄが入っていることが必要となることがわかる。
【００５４】
以上のことを数式で表すと以下のようになる。
【００５５】
（ｊ×ｎＬ／２）＋０．５<Ｄ<（（ｊ＋１）×ｎＬ／２）−０．５        [数２]
次に、例えば第１及び第２の波長が夫々７８０ｎｍ及び６５０ｎｍである１ＣＡＮ２波長ＬＤでは、図４に示すように第１及び第２の発光点２２，２３がほぼ同じ位置にあるが、ＣＤとＤＶＤとでは基板の厚みがＣＤ側で１．２ｍｍ、ＤＶＤ側で０．６ｍｍと異なり、基板の屈折率を約１．５とすると、ＣＤ側光路長Ｄ１とＤＶＤ側光路長Ｄ２とで０．６×１．５＝０．９０（ｍｍ）もの差（図４中のＡ）が現れる。
【００５６】
従って、ＣＤ側光路長Ｄ１とＤＶＤ側光路長Ｄ２との両方が、図５の戻り光ノイズの生じない範囲Ｈに入るためには、少なくとも範囲Ｈが図４及び図５中のＡの範囲と同じかそれより大きくなければならない。そのことを数式で表すと以下のようになる。
【００５７】
（ｊ＋１）×ｎＬ／２−０．５−（ｊ×ｎＬ／２＋０．５）≧０．９０
ｎＬ／２−１≧０．９０
ｎＬ／２≧１．９０                          [数３]
であり、ｎＬの条件はｎＬ≧３．８０（ｍｍ）    [数４]
となる。
【００５８】
これにより、[数４]の条件を満たすレーザ光源１３を用いることで、レーザ光の戻り光ノイズの発生を抑えた光ピックアップ４及び光ディスク記録再生装置１を構成することができる。
【００５９】
以上で、戻り光から戻り光ノイズが発生する場合と戻り光ノイズの発生を抑える場合の仕組み（動作）についての説明を終了する。
【００６０】
次に、ビームスプリッタ１５に入射した光ディスク２からの反射光が、グレーティング１４からのレーザ光と分離され透過して、光軸合成素子１９へ射出された後の動作について続けて説明する。
【００６１】
光軸合成素子１９に入射したレーザ光は、例えば第２の波長である６５０ｎｍのレーザ光はそのまま透過させ、第１の波長である７８０ｎｍのレーザ光については回折または、屈折させてその光軸を第２の波長のレーザ光の光軸に合わせられる。
【００６２】
従って、光軸合成素子１９を射出したレーザ光は例えば２波長で同一光軸上を調整レンズ２０に入射し、調整レンズ２０中のシリンドリカルレンズや球面レンズなどによりＰＤ２１上に３ビームのレーザ光が照射される。
【００６３】
すなわち、２波長のメインビームは４分割用ＰＤ２４に照射されて夫々の分割領域からの電気信号が出力され、アンプ７に供給される。また、サブビーム用ＰＤ２５，２６には２波長のサブビームが照射されて夫々のＰＤから電気信号が出力され、アンプ７に供給される。
【００６４】
ここで、アンプ７に４分割用ＰＤ２４の各領域から供給された出力信号は、制御部１２のコントロール下、所定の大きさまで増幅され、フォーカスエラー信号を生成して制御部１２を介してドライバ制御部６に供給される。ドライバ制御部６は、フォーカスエラー信号をドライバ５に伝え、ドライバ５のフォーカスドライバにより光ピックアップ４の図示しない例えば２軸アクチュエータのフォーカスコイルによって、フォーカシングが行われる。
【００６５】
また、アンプ７にサブビーム用ＰＤ２５，２６から供給された出力信号は、制御部１２のコントロール下、所定の大きさに増幅され、その信号と４分割用ＰＤ２４による出力信号とにより例えば３ビーム法を用いて、トラッキングエラー信号が生成されて、制御部１２を介してドライバ制御部６に供給される。ドライバ制御部６は、トラッキングエラー信号をドライバ５に伝えドライバ５のトラッキングドライバにより光ピックアップ４の図示しない例えば２軸アクチュエータのトラッキングコイルによって、トラッキングが行われる。
【００６６】
これにより、対物レンズ１８を常に適正な位置に保つことができ、再生の精度を確保できる。
【００６７】
更にアンプ７は、例えば制御部１２のコントロール下、４分割用ＰＤの各領域から増幅された信号を合算し、ＲＦ信号を生成して信号処理部８に供給する。
【００６８】
信号処理部８は、例えば制御部１２のコントロール下、供給されたＲＦ信号を復調、誤り検出及び訂正などの処理をして音楽情報などの信号を生成し、Ｄ／Ａコンバータ９に供給する。
【００６９】
また、Ｄ／Ａコンバータ９は、例えば制御部１２のコントロール下、供給された音楽情報などの信号をアナログ信号に変換し、入出力部１０に供給する。
【００７０】
更に入出力部１０は、例えば制御部１２のコントロール下、供給された音響情報などを図示しない音響部のスピーカなどにより音楽などにして出力し、光ディスク２に記録された音楽情報などが再生されることとなる。
【００７１】
以上で光ディスク記録再生装置１の動作の説明を終了する。
【００７２】
このように本実施形態によれば、光ピックアップ４は第１及び第２の光源から第１及び第２の光ディスクの反射面までの夫々の光路長Ｄを、ｎを実効屈折率、Ｌを共振器長として（ｊ×ｎＬ／２）＋０．５<Ｄ<（（ｊ＋１）×ｎＬ／２）−０．５となるように第１及び第２の光ディスクの反射面に、光学手段で第１及び第２のレーザ光を結ぶこととしたので、例えば図５の戻り光ノイズが発生しない範囲Ｈに光路長Ｄを収めることができ、１ＣＡＮ２波長ＬＤを用いた場合でも、容易に２つの光源からの戻り光ノイズを抑えることができ、かつ部品点数削減、信頼性向上を図ることができる。
【００７３】
また、第１の光ディスクと第２の光ディスクとの基板厚の差とその基板の屈折率との積の値が、前記（ｊ＋１）×ｎＬ／２−０．５からｊ×ｎＬ／２＋０．５を引いた値より小さいこととしたので、戻り光ノイズが大きく現れるｊ×ｎＬ／２とその隣の（ｊ＋１）×ｎＬ／２との光ディスクの面ぶれを除いた範囲に、第１及び第２の光ディスクによる光路長Ｄの差の幅が全て入るように光学手段などにより容易に調整ができ、例えば１ＣＡＮ２波長ＬＤを用いた場合でも、容易に２つの光源からの戻り光ノイズを抑えることができる。
【００７４】
更に第１及び第２の光源の実効屈折率と共振器長との積ｎＬが夫々ほぼ同一であり、かつ、３．８ミリメートル以上であることとしたので、光ディスクの面ぶれを考慮しても、例えば１ＣＡＮ２波長ＬＤとして７８０ｎｍ及び６５０ｎｍの波長を用いて、夫々ＣＤ及びＤＶＤを光ディスク２として再生した場合に、いずれの波長のレーザ光源からの戻り光ノイズも容易に抑制できる。
【００７５】
また、第１及び第２の光源は、互いに近接して配置することとしたので、例えば１ＣＡＮ２波長ＬＤを用いた場合に全体の面積を大幅に縮小することができ、部品点数も少なくできると共に、信頼性も向上させながら２波長のレーザ光源からの戻り光ノイズを容易に抑制できる。
【００７６】
更に光ディスク記録再生装置１は、その光ピックアップ４が第１及び第２の光源から第１及び第２の光ディスクの反射面までの夫々の光路長Ｄを、（ｊ×ｎＬ／２）＋０．５<Ｄ<（（ｊ＋１）×ｎＬ／２）−０．５となるように第１及び第２の光ディスクの反射面に、光学手段で第１及び第２のレーザ光を結ぶこととしたので、例えば１ＣＡＮ２波長ＬＤを用いた場合でも、容易に２つの光源からの戻り光ノイズを抑えることができ、かつ部品点数を削減し、信頼性向上を図ることができる。
【００７７】
尚、本発明は上述したいずれの実施形態にも限定されず、本発明の技術思想の範囲内で適宜変更して実施できる。
【００７８】
例えば上述した実施形態では、レーザ光源１３のｎＬを３．８ミリメートル以上として説明したがこれに限られるものではなく、２波長のレーザ光源１３から光ディスク２の反射面までの光路長Ｄの全てが図５の戻り光ノイズが生じない範囲であるＨの範囲に入るようなｎＬであればよい。これにより、より多様な光学部品や光ディスク２を用いながら、レーザ光源の戻り光ノイズの発生を抑制できることとなる。
【００７９】
また、上述した実施形態では光ディスク２の再生の場合について主に説明したがこれに限られるものではなく、レーザ光を用いて記録再生するものであれば他の記録媒体であってもよく、更に光ディスク２への音楽情報や映像情報などの記録の場合でも勿論よい。これにより、よりカスタマイズ化を図りながらＬＤの出力が大きい場合でも容易にレーザ光源の戻り光ノイズの発生を抑制できる。
【００８０】
更に上述した実施形態では、１ＣＡＮ２波長ＬＤを中心に説明したがこれに限られるものではなく、３波長以上のレーザ光源を用いる場合でもよいし、逆に１波長のレーザ光源を用いるものであってもよい。これにより、よりカスタマイズ化を図りながら容易にレーザ光源の戻り光ノイズの発生を抑制できることとなる。
【図面の簡単な説明】
【００８１】
【図１】本発明の第１の実施形態に係る光記録再生装置のブロック図である。
【図２】本発明の第１の実施形態に係る光ピックアップの概略説明図である。
【図３】本発明の第１の実施形態に係る受光素子としてのＰＤの説明図である。
【図４】本発明の第１の実施形態に係る光記録再生装置の光路長差の説明図である。
【図５】本発明の第１の実施形態に係る光記録再生装置の戻り光ノイズを抑える光路長Ｄの範囲の説明図である。
【符号の説明】
【００８２】
１  光ディスク記録再生装置
２  光ディスク
３  スピンドルモータ
４  光ピックアップ
５  ドライバ
６  ドライバ制御部
７  アンプ
８  信号処理部
９  Ｄ／Ａコンバータ
１０  入出力部
１１  記録制御回路
１２  制御部
１３  レーザ光源
１４  グレーティング
１５  ビームスプリッタ
１６  コリメータレンズ
１７  ミラー
１８  対物レンズ
１９  光軸合成素子
２０  調整レンズ
２１  ＰＤ
２２  第１の発光点
２３  第２の発光点
２４  ４分割用ＰＤ
２５、２６  サブビーム用ＰＤ
【図１】
2005038523.tif 000003
【図２】
2005038523.tif 000004
【図３】
2005038523.tif 000005
【図４】
2005038523.tif 000006
【図５】
2005038523.tif 000007